(57)【要約】【課題】商品陳列棚を水平状態と後方上がりの傾斜状態に切替えた場合、それに伴って中間仕切体の取付角度を水平向きの状態と後方上がりに傾斜した状態とに切替えることができ、しかも、その切替えを、商品陳列棚の正面側から容易に行うことができる冷温蔵用ショーケースを提供する。【解決手段】  前後方向にスライド可能にブラケット１１に取付けられ、一方へスライドした場合に角度可変ブラケット１４を水平向きに切替え、他方へスライドした場合に角度可変ブラケットを後方上がりに傾斜する向きに切替える角度可変レバーと、角度可変レバーの正面側に設けられた操作用把持部と、角度可変ブラケットの上面側に載置される商品陳列棚１７と、角度可変ブラケットに抜き差し可能に取付けられ、取付けられことにより後端側が冷気通路６内に侵入してこの冷気通路内を流れる冷気が侵入位置より上方に流れることを阻止する中間仕切体２とを有する。【選択図】図２
2020137595.tif 000002
【特許請求の範囲】
【請求項１】
内部に商品陳列室を有し、前面に開口を有するショーケース本体と、
前記商品陳列室内に配置され、後端側が前記ショーケース本体に取付けられて前端側が前面側に延出し、水平方向で対向する少なくとも左右一対のブラケットと、
前記ショーケース本体の奥側に設けられ、下方から上方へ冷気が流れる冷気通路と、
前端側が前記ブラケットに支持され、後端側が上下方向に回動可能な角度可変ブラケットと、
前後方向にスライド可能に前記ブラケットに取付けられ、一方へスライドした場合に前記角度可変ブラケットを水平向きに切替え、他方へスライドした場合に前記角度可変ブラケットを後方上がりに傾斜する向きに切替える角度可変レバーと、
前記角度可変レバーの正面側に位置し、この角度操作レバーを前後方向にスライド操作する場合に把持する操作用把持部と、
前記角度可変ブラケットの上面側に載置され、この角度可変ブラケットの傾斜状態が切替えられることに伴って水平向きの状態と後方上がりに傾斜する状態とに切替えられる商品陳列棚と、
前記角度可変ブラケットに前方から抜き差し可能に取付けられ、取付けられことにより後端側が前記冷気通路内に侵入してこの冷気通路内を流れる冷気が侵入位置より上方に流れることを阻止する中間仕切体と、
を備えることを特徴とする冷温蔵用ショーケース。
【請求項２】
前記角度可変ブラケットを水平向きと後方上がりに傾斜した状態とに切替える機構は、前記角度可変ブラケットに前後方向向きに形成されて後方に向かうにつれて下向きに傾斜する案内溝と、前記角度可変レバーに設けられて前記案内溝にスライド可能に係合する凸部とを備えることを特徴とする請求項１記載の冷温蔵用ショーケース。
【請求項３】
前記角度可変レバーと前記操作用把持部とは、左右方向の両側に設けられていることを特徴とする請求項１又は２記載の冷温蔵用ショーケース。
【発明の詳細な説明】
【技術分野】
【０００１】
本発明は、上下方向に複数段の商品陳列棚を有するとともに冷蔵機構を有し、さらに、各商品陳列棚の棚板に加温機構を設けることにより、各商品陳列棚に陳列される商品を、全段ホット商品、上段がホット商品で下段が弱冷商品、上段がホット商品で下段が冷蔵商品、全段弱冷商品、全段冷蔵商品とすることができる冷温蔵用ショーケースに関する。
【背景技術】
【０００２】
従来、スーパーマーケットやコンビニエンスストア等の店舗では冷蔵機構を備えたショーケースが使用されており、このようなショーケースの中には、下記特許文献１に記載されているように、ショーケース本体内の上段側の商品陳列棚に弱冷商品（例えば、弁当やおにぎり）を陳列し、ショーケース本体内の下段側の商品陳列棚に冷蔵商品（例えば、サラダパック）を陳列するようにしたショーケースが知られている。なお、このショーケースでは、必要に応じて全ての商品陳列棚に弱冷用の商品又は冷蔵用の商品を陳列する場合がある。さらに、各商品陳列棚の棚板に加温機構を設けることにより、上段側の商品陳列棚に加温商品を陳列し、下段側の商品陳列棚に弱冷商品又は冷蔵商品を陳列することができる。
【０００３】
そして、このようなショーケースでは、上段側の商品陳列棚に弱冷用の商品を陳列し、下段側の商品陳列棚に冷蔵用の商品を陳列する場合等には、弱冷用の商品を陳列する商品陳列棚のうちの最下段の商品陳列棚に中間仕切体（中間棚ダクト）を挿着している。中間仕切体を挿着することにより、冷気通路内を下方から上方へ流れる冷気が中間仕切体により遮断され、冷気通路内を流れる冷気は中間仕切体内に形成された通路を通ってショーケース本体の正面側に吹出すようになっている。
【０００４】
また、中間仕切体を備えるとともに、商品陳列棚の傾きを水平向きと後方上がり傾斜する向きとに切替可能とし、この切替を商品陳列棚の正面側に設けた操作レバーにより行うようにしたショーケースとしては、下記特許文献２に記載されたものが知られている。
【先行技術文献】
【特許文献】
【０００５】
【特許文献１】特開２００７−１８７３９１号公報
【特許文献２】特開２０１８-１２６４８４号公報
【発明の概要】
【発明が解決しようとする課題】
【０００６】
しかしながら、特許文献２に記載されたショーケースでは、商品陳列棚の傾き角度を切替えても、中間仕切体が差込まれる差込部の角度は変化せず、中間仕切体の傾き角度は一定である。このため、中間仕切体が後方上がりに傾斜する状態とされている場合には、商品陳列棚を水平向きにしようとすると、商品陳列棚が中間仕切体にぶつかるので、商品陳列棚を水平向きとすることができなくなる。一方、中間仕切体が水平向きとされている場合には、商品陳列棚を後方上がりに傾斜させた場合に、水平向きの状態の中間仕切体とその下側に位置して後方上がりに傾斜する商品陳列棚との間隔が狭くなり、中間仕切体の下側に位置する商品陳列棚上への商品の陳列量が制限されることになる。
【０００７】
本発明は、このような課題を解決するためになされたものであり、その目的は、商品陳列棚の傾き角度を水平向きと後方上がりに傾斜する向きとに切替えた場合、それに伴って中間仕切体の傾き角度を水平向きと後方上がりに傾斜する向きとに切替えることができ、しかも、その切替えを、商品陳列棚の正面側から容易に行うことができる冷温蔵用ショーケースを提供することである。
【課題を解決するための手段】
【０００８】
本発明に係る冷温蔵用ショーケースは、内部に商品陳列室を有し、前面に開口を有するショーケース本体と、前記商品陳列室内に配置され、後端側が前記ショーケース本体に取付けられて前端側が前面側に延出し、水平方向で対向する少なくとも左右一対のブラケットと、前記ショーケース本体の奥側に設けられ、下方から上方へ冷気が流れる冷気通路と、前端側が前記ブラケットに支持され、後端側が上下方向に回動可能な角度可変ブラケットと、前後方向にスライド可能に前記ブラケットに取付けられ、一方へスライドした場合に前記角度可変ブラケットを水平向きに切替え、他方へスライドした場合に前記角度可変ブラケットを後方上がりに傾斜する向きに切替える角度可変レバーとを備えている。さらに、前記角度可変レバーの正面側に位置し、この角度操作レバーを前後方向にスライド操作する場合に把持する操作用把持部と、前記角度可変ブラケットの上面側に載置され、この角度可変ブラケットの傾斜状態が切替えられることに伴って水平向きの状態と後方上がりに傾斜する状態とに切替えられる商品陳列棚と、前記角度可変ブラケットに前方から抜き差し可能に取付けられ、取付けられことにより後端側が前記冷気通路内に侵入してこの冷気通路内を流れる冷気が侵入位置より上方に流れることを阻止する中間仕切体と、を備える。
【０００９】
また、前述の冷温蔵用ショーケースでは、前記角度可変ブラケットを水平向きと後方上がりに傾斜した状態とに切替える機構は、前記角度可変ブラケットに前後方向向きに形成されて後方に向かうにつれて下向きに傾斜する案内溝と、前記角度可変レバーに設けられて前記案内溝にスライド可能に係合する凸部とを備えることが望ましい。
【００１０】
また、前述の冷温蔵用ショーケースでは、前記角度可変レバーと前記操作用把持部とは、左右方向の両側に設けられていることが望ましい。
【発明の効果】
【００１１】
本発明に係る冷温蔵用ショーケースでは、角度可変レバーを前後方向にスライドさせることにより角度可変ブラケットの傾きを水平向きと後方上がりに傾斜する向きとに切替えることができる。また、この角度可変ブラケットの上面側に載置される商品陳列棚の傾きも、水平向きと後方上がりに傾斜する向きとに切替えることができる。角度可変ブラケットの傾きを切替える操作は、角度操作レバーの前面側に位置する操作用把持部を把持することにより容易に行うことができる。そして、水平向き又は後方上がりに傾斜する向きに切替えられる角度可変ブラケットに、その手前側から抜き差し可能に中間仕切体が取付けられるので、商品陳列棚が水平向きの場合には中間仕切体も水平向きにすることができ、商品陳列棚が後方上がりに傾斜する場合には中間仕切体も後方上がりに傾斜させることができる。これにより、中間仕切体の傾きが固定されている場合に発生する様々な不都合、例えば、中間仕切体が後方上がりに傾斜して固定されている場合には、商品陳列棚を水平向きにしようとすると商品陳列棚が中間仕切体にぶつかるために商品陳列棚を水平向きにすることができないという不都合、中間仕切体が水平向きに固定されている場合には、その中間仕切体の下側の商品陳列棚を後方上がりに傾斜させると、その商品陳列棚と中間仕切体との間隔が狭くなりその商品陳列棚に陳列できる商品の陳列量が少なくなるという不都合を防止することができる。
【００１２】
また、角度可変ブラケットを水平向きと後方上がりに傾斜した状態とに切替える機構は、角度可変ブラケットに前後方向向きに形成されて後方に向かうにつれて下向きに傾斜する案内溝と、角度可変レバーに設けられて案内溝にスライド可能に係合する凸部とを備えているので、角度操作レバーを前後方向にスライドさせるという簡単な操作により角度可変ブラケットの傾きを切替えることができる。
【００１３】
また、角度可変レバーと操作用把持部とは、左右方向の両側に設けられているので、両手で操作用把持部を把持することにより、角度可変レバーをスライドさせる操作を容易に行うことができる。
【図面の簡単な説明】
【００１４】
【図１】中間仕切体が使用されていない状態の冷温蔵用ショーケースを示す断面側面図である。
【図２】中間仕切体が使用されている状態の冷温蔵用ショーケースを示す断面側面図である。
【図３】商品陳列棚及び中間仕切体が後方上がりに傾斜している状態を示す側面図である。
【図４】商品陳列棚及び中間仕切体が水平向きとなっている状態を示す側面図である。
【図５】商品陳列棚が水平向きで奥側の収容位置に収容されている状態を示す斜視図である。
【図６】商品陳列棚がスライドレールと共に手前側に引き出された状態を示す斜視図である。
【図７】角度可変ブラケットを後方上がりに傾斜させた状態を示す斜視図である。
【図８】スライドレールと共に商品陳列棚を奥側の収容位置にスライドさせ、商品陳列棚を後方上がりに傾斜させた状態を示す斜視図である。
【図９】角度可変ブラケットを示す側面図である。
【図１０】中間仕切体を示す斜視図である。
【図１１】冷温蔵用ショーケースにおける角度可変ブラケットや棚取付板の変形例を示す側面図である。
【発明を実施するための形態】
【００１５】
本発明の一実施形態について、図面に基づいて説明する。図１及び図２は、スーパーマーケットやコンビニエンスストア等の店舗内に設置される冷温蔵用ショーケース１を示す断面側面図であり、図１は後述する中間仕切体２が使用されていない状態、図２は中間仕切体２が使用されている状態である。この冷温蔵用ショーケース１は、前面に開口３が形成された断面形状コの字型のショーケース本体４を有し、ショーケース本体４の内部には商品陳列室５が設けられている。さらに、ショーケース本体４内の奥側には、下方から上方に向けて冷気が流れる冷気通路６が形成されており、この冷気通路６内には空気を冷却して冷気を生成するための冷却器７と、冷気を送風するためのファン８とが設けられている。
【００１６】
冷気通路６の正面側上端部には、冷気が下向きに吹出す吹出口９が形成されている。また、冷気通路６の正面側下端部には、吹出口９から吹出した冷気が吸い込まれる吸込口１０が形成されている。吸込口１０から吸い込まれた冷気は冷却器7により冷却され、再び吹出口９から吹出すようになっている。
【００１７】
商品陳列室５内には、水平方向で対抗する左右一対のブラケット１１が上下方向に沿って複数組設けられている。これらのブラケット１１の後端部は、ショーケース本体４内に設けられた左右の支柱（図示せず）に取付けられ、ブラケット１１の前端部はショーケース本体４の開口３に向けて延出している。左右の支柱の間には商品陳列室５と冷気通路６とを仕切る仕切板１２が設けられており、この仕切板１２には後述するダンパー（図示せず）が取付けられている。
【００１８】
ブラケット１１には、図３ないし図８に示すように、スライドレール１３と、角度可変ブラケット１４と、角度可変レバー１５と、操作用把持部１６と、商品陳列棚１７とが支持されている。
【００１９】
スライドレール１３は、長尺状の部材であり、図５ないし図８に示すように、前後方向スライド可能にブラケット１１に取付けられている。なお、図５ないし図８では左右方向の片側に設けられている一つのスライドレール１３のみを示しているが、スライドレール１３は左右一対のブラケット１１のそれぞれに一つずつ取付けられている。
【００２０】
角度可変ブラケット１４は、図９に示す形状をした長尺状の部材であり、左右に一対設けられている。これらの角度可変ブラケット１４には取付孔１８が形成され、この取付孔１８に挿通される支軸（図示せず）により上下方向回動可能にブラケット１１に取付けられている。そして、その支軸を中心として、図３、図８に示す後方上がりに傾斜する向きと、図４、図５図に示す水平向きとに切替可能とされている。
【００２１】
また、角度可変ブラケット１４の前後方向略中央部の下側には、案内溝形成部２０が設けられている。この案内溝形成部２０には、前後方向に延出し、後方に向かうにつれて下向きに湾曲して傾斜する案内溝２１が形成されている。
【００２２】
さらに、左右の角度可変ブラケット１４の後端部は図６に示すように連結板２８により連結され、左右の角度可変ブラケット１４は一体に図示しない支軸の回りに上下方向に回動するようになっている。
【００２３】
角度可変レバー１５は、図３及び図４に示す長尺状の部材であり、ブラケット１１に前後方向スライド可能に取付けられ、図３に示す後方位置と、図４に示す前方位置との間でスライドする。なお、ブラケット１１における角度可変レバー１５を挟んだ内側と外側とには、角度可変ブラケット１４が水平向きと後方上がりに傾斜する向きとに切替えられた場合、その切替えを目視可能とするための傾斜視認窓１１Ａ、１１Ｂが形成されている。なお、この傾斜視認窓１１Ａ、１１Ｂは、ブラケット１１の内側又は外側のいずれか一方にのみ形成してもよい。
【００２４】
また、角度可変レバー１５の後部側には凸部２６が設けられており、この凸部２６は案内溝２１とブラケット１１に前後方向に形成された長溝２７とにスライド可能に係合されている。そして、角度可変レバー１５を前後方向にスライドさせることに伴い、凸部２６が角度可変ブラケット１４の案内溝２１内に沿って移動する。これにより、角度可変ブラケット１４は支軸の回りに上下方向に回動し、図３に示す後方上がりに傾斜した状態と、図４に示す水平向きの状態とに切替えられる。
【００２５】
角度可変レバー１５の前部側の両側面には、赤色や黄色の傾斜視認マーク１５Ａが付けられている。この傾斜視認マーク１５Ａは、角度可変ブラケット１４が図３に示すように後方上がりに傾斜する向きに切替えられている場合には、傾斜視認窓１１Ａに対向し、角度可変ブラケット１４が後方上がりに傾斜していることを視認可能としている。一方、各窓可変ブラケット１４が図４に示すように水平向きに切替えられている場合には、傾斜視認マーク１５Ａは傾斜視認窓１１Ｂに対向し、角度可変ブラケッ１４が水平向きであることを視認可能としている。
【００２６】
また、角度可変レバー１５の正面側には操作用把持部１６が設けられており、この操作用把持部１６は角度可変レバー１５を前後方向にスライドさせる場合に把持される。
【００２７】
商品陳列棚１７は、販売する商品が載置される棚であり、棚取付板２９を介してスライドレール１１３に取付けられている。スライドレール１３への棚取付板２９の取付けは、支軸３０により行われており、棚取付板２９と商品陳列棚１７とは、支軸３０の回りに上下方向回動可能とされている。また、商品陳列棚１７の棚板には、適宜オン、オフの切替えが可能なヒーター（図示せず）が設けられている。
【００２８】
中間仕切体２は、図１０に示すような長方形の板状部材であり、内部にダクトが形成され、左右の幅方向の両側には内側に折り曲げられた引掛部３１が形成されている。この中間仕切体２は、引掛部３１を角度可変ブラケット１４に形成された溝部（図示せず）に引っ掛けることにより前方から抜き差し可能に取付けられている。角度可変ブラケット１４に取付けられた中間仕切体２は、図２に示すようにその後端部が仕切板１２に設けられているダンパーを押し上げ、冷気通路６内に侵入している。中間仕切体2の後端部がダンパーを押し上げて冷気通路６内に侵入することにより、冷気通路６内を流れる冷気は中間仕切体２の挿入位置で遮断され、冷気通路６内の冷気が中間仕切体２の内部のダクトを通って商品陳列室５内に入り込むようになる。
【００２９】
このような構成において、図１は、この冷温蔵用ショーケース１において、複数の商品陳列棚１７の全段に、弱冷商品又は冷蔵商品を陳列する場合を示しており、中間仕切体２は使用していない。この使用形態では、冷却器７により冷却された冷気が冷気通路６内を矢印で示すように流れ、吹出口９から下向きに吹出して吸込口１０に吸い込まれ、開口３を覆う冷気のエアーカーテンが形成されている。
【００３０】
図２は、この冷温蔵用ショーケース１を、上段側の商品陳列棚１７に弱冷用の商品を陳列し、下段側の商品陳列棚１７に冷蔵用の商品を陳列する場合を示しており、上から３段目の角度可変ブラケット１４に中間仕切体２が取付けられている。角度可変ブラケット１４に取付けられた中間仕切体２は、その後端部が仕切板１２に設けられているダンパーを押し上げて冷気通路６内に侵入している。中間仕切体２の後端部が冷気通路６内に侵入することにより、冷気通路６内を流れる冷気はその侵入位置より上方へ流れることが遮断され、上方への流れを遮断された冷気は、図２の矢印で示すように、中間仕切体２の内部のダクトを通ってショーケース本体４の開口３側へ流れ、中間仕切体２より下側に位置する商品陳列棚１７に陳列されている商品のみが冷却される。
【００３１】
つぎに、角度可変ブラケット１４を水平向きと後方上がりの向きとに切替えるとともに、商品陳列棚１７を水平向きと後方上がりの向きとに切替える操作について、図５ないし図８に基づいて説明する。
【００３２】
図５は、角度可変ブラケット１４と商品陳列棚１７とが、ともに水平向きとなっている状態を示している。
【００３３】
図６は、図５に示す状態からスライドレール１３を矢印で示すように手前側に引き出した状態を示している。スライドレール１３を手前側に引き出すことにより、スライドレール１３に棚取付板２９を介して取付けられている商品陳列棚１７も手前側にスライドする。
【００３４】
図７は、図６に示す状態から、操作用把持部１６を把持し、角度可変レバー１５（図３、図４参照）を矢印で示すように奥側にスライドさせた状態を示している。角度可変レバー１５を奥側にスライドさせることにより、図３及び図４に示すように、角度可変ブラケット１４が水平向きから後方上がりの向きに傾斜する。
【００３５】
図８は、図７に示すように角度可変ブラケット１４を後方上がりの向きに傾斜させた後、スライドレール１３を矢印で示すように奥側にスライドさせた状態を示している。スライドレール１３を奥側にスライドさせることにより、商品陳列棚１７が後方上がりの向きに傾斜した角度可変ブラケット１４の上に乗り上げ、商品陳列棚１７と棚取付板２９とが支軸３０の回りに回動し、商品陳列棚１７は後方上がりに傾斜した状態となる。
【００３６】
つぎに、図３及び図４に基いて、角度可変レバー１５のスライドと、それに伴う角度可変ブラケット１４の傾斜状態の切替えについて説明する。
【００３７】
図４は、図５に示す状態と同じ状態を示しており、角度可変ブラケット１４と商品陳列棚１７とが水平向きとなっている。また、角度可変レバー１５に設けられた凸部２６が、角度可変ブラケット１４に設けられた案内溝形成部２０の案内溝２１の手前側端部にスライド可能に係合されている。
【００３８】
図３は、図４に示す状態から操作用把持部１６を把持し、角度可変レバー１５を奥側（後方位置）にスライドさせた状態を示している。角度可変レバー１５を奥側にスライドさせると、凸部２６が案内溝２１に沿って奥側にスライドし、凸部２６が案内溝２１に沿って奥側にスライドすることにより角度可変ブラケット１４が次第に後方上がりに傾斜する。さらに、角度可変ブラケット１４を後方上がりに傾斜させた後、図８の矢印で示すようにスライドレール１３と商品陳列棚１７とを奥側にスライドさせることにより、商品陳列棚１７が傾斜した角度可変ブラケット１４の上に乗り上げ、後方上がりに傾斜する。
【００３９】
ここで、中間仕切体２は角度可変ブラケット１４に抜き差し可能に取付けられており、手前側から奥側に押し込むことにより取付けることができる。この取付けは、図４に示すように角度可変ブラケット１４及び商品陳列棚１７が水平向きの場合と、図３に示すように角度可変ブラケット１４及び商品陳列棚１７が後方上がりに傾斜した場合とのいずれの場合にも行うことができる。
【００４０】
したがって、本実施形態の冷温蔵用ショーケース１では、商品陳列棚１７の角度が水平向きの場合には中間仕切体２も水平向きの状態となり、商品陳列棚１７の角度が後方上がりに傾斜した状態の場合には中間仕切体２も後方上がりに傾斜した状態となる。このため、中間仕切体２の傾きが固定されているために発生する様々な不都合を防止することができる。例えば、中間仕切体２が後方上がりに傾斜して固定されている場合には、商品陳列棚１７を水平向きにしようとすると中間仕切体２にぶつかるために商品陳列棚１７を水平向きにすることができないという不都合を防止することができる。また、中間仕切体２が水平向きに固定されている場合には、その中間仕切体２の下側に位置する商品陳列棚１７を後方上がりに傾斜させると、その商品陳列棚１７と中間仕切体２との間の間隔が狭くなりその商品陳列棚１７に陳列できる商品の陳列量が少なくなるという不都合を防止することができる。
【００４１】
図１１は、冷温蔵用ショーケースにおける角度可変ブラケット１４ａや棚取付板２９ａの変形例を示す側面図である。角度可変ブラケット１４ａには案内溝形成部２０ａが設けられており、この案内溝形成部２０ａは、ブラケット１１の外側に位置して設けられている。案内溝形成部２０ａには、図３と同様に案内溝２１ａが形成され、案内溝２１ａにはブラケット１１の外側に位置する角度可変レバー１５ａに設けられた凸部２６ａがスライド可能に係合されている。
【００４２】
そして、角度可変レバー１５ａを前後方向にスライドさせることに伴い、凸部２６ａが案内溝２１ａ内に沿って移動し、角度可変ブラケット１４ａは支軸３０ａの回りに上下方向に回動する。棚取付板２９ａには下側に向けて膨らんだストッパ部３２が形成されており、商品陳列棚１７が角度可変ブラケット１４ａの上に乗り上げて後方上がりに傾斜した場合、ストッパ部３２が後方位置へスライドしている角度可変レバー１５ａの前端部の手前側に位置する。これにより、角度可変レバー１５ａが何らかの原因で前方側へスライドしようとするとストッパ部３２にぶつかるので、角度可変レバー１５ａが不意に前方側にスライドすること、及び、そのスライドに伴って角度可変ブラケット１４ａや商品陳列棚１７が下方へ回動することを防止することができる。
【００４３】
なお、上述した実施形態では、角度可変レバー１５、１５ａを後方位置へスライドさせた場合に角度可変ブラケット１４、１４ａを後方上がりに傾斜する向きに切替え（図３、図１１）、角度可変レバー１５、１５ａを前方位置へスライドさせた場合に角度可変ブラケット１４、１４ａを水平向きに切替える場合を示している（図４）。しかし、角度可変レバー１５、１５ａのスライド方向と角度可変ブラケット１４、１４ａの傾斜方向との関係については、角度可変レバー１５、１５ａを後方位置へスライドさせた場合に角度可変ブラケット１４、１４ａを水平向きに切替え、角度可変レバー１５、１５ａを前方位置へスライドさせた場合に角度可変ブラケット１４、１４ａを後方上りに傾斜する向きに切替えるようにしてもよい。
【符号の説明】
【００４４】
１      冷温蔵用ショーケース
２      中間仕切体
３      開口
４      ショーケース本体
５      商品陳列室
６      冷気通路
７      冷却器
８      ファン
９      吹出口
１０      吸込口
１１      ブラケット
１１Ａ、１１Ｂ  傾斜視認窓
１２      仕切板
１３      スライドレール
１４、１４ａ    角度可変ブラケット
１５、１５ａ    角度可変レバー
１５Ａ    傾斜視認マーク
１６      操作用把持部
１７      商品陳列棚
１８      取付孔
２０、２０ａ    案内溝形成部
２１、２１ａ    案内溝
２６、２６ａ    凸部
２７      長溝
２８      連結板
２９、２９ａ    棚取付板
３０      支軸
３１      引掛部
３２      ストッパ部
【図１】
2020137595.tif 000003
【図２】
2020137595.tif 000004
【図３】
2020137595.tif 000005
【図４】
2020137595.tif 000006
【図５】
2020137595.tif 000007
【図６】
2020137595.tif 000008
【図７】
2020137595.tif 000009
【図８】
2020137595.tif 000010
【図９】
2020137595.tif 000011
【図１０】
2020137595.tif 000012
【図１１】
2020137595.tif 000013